(57)【特許請求の範囲】
【請求項１】
非鉄金属の溶融炉で生じた浮滓を攪拌破砕し、該浮滓に混入している非鉄金属溶融物を浮滓破砕物から比重分離して回収するのに用いる浮滓処理装置であって、
上方に開放して浮滓を収容する浮滓処理槽と、該浮滓処理槽内に配置する攪拌羽根と、該攪拌羽根の回転駆動手段と、前記比重分離した非鉄金属溶融物を流出させるために前記浮滓処理槽を傾かせる傾動手段と、前記撹拌羽根を内側に配置した浮滓処理槽と前記回転駆動手段とが固設された台座とを備え、
前記浮滓処理槽の槽本体の底部中央位置に、直立する筒状部が一体形成されると共に、該筒状部の内側に、回転駆動軸が断熱材を介して当該筒状部とは非接触状態で同心状に配置し、
前記筒状部の頂端より上方突出した前記回転駆動軸の頂部に、前記攪拌羽根の取付基部が相対回転不能に連結されると共に、該取付基部の外周面の径方向両側に前記撹拌羽根の縦角棒体がその上段部を連結して垂下され、
前記縦角棒体に、基端側を溶接固着して浮滓処理層の半径方向に沿って斜め下向きに配置した複数本の角棒状羽根片が設けられ、縦角棒体の下端部に溶接固着した三角羽根板が設けられ、
前記縦角棒体と前記筒状部の外周面との間には、第１間隙が設定されると共に、前記取付基部の下端面と前記筒状部の頂端との間には、第２間隙が設定され、
前記回転駆動手段は前記回転駆動軸をその下端側で回転駆動させるように構成され、
前記台座には、回転保持筒が立設されると共に、該回転保持筒の内側上下位置にブシュが設けられ、そして、当該回転保持筒が、前記ブシュを介して回転自在に前記回転駆動軸を抱持すると共に、前記槽本体の筒状部の内周と前記回転軸保持筒の外周との間に前記断熱材が介在されるように該筒状部内に突入配置され、
前記傾動手段は、前記台座ごと前記浮滓処理槽を傾けてなる非鉄金属溶湯の浮滓処理装置。
【請求項２】
前記攪拌羽根を内側に配置した前記浮滓処理槽と、前記回転駆動手段とが台車に搭載されてなる請求項１に記載の非鉄金属溶湯の浮滓処理装置。
【請求項３】
前記台車に前記傾動手段が搭載されてなる請求項２に記載の非鉄金属溶湯の浮滓処理装置。
【請求項４】
前記攪拌羽根の取付基部が前記回転駆動軸の頂部に対して着脱可能である請求項１〜３のいずれか１項に記載の非鉄金属溶湯の浮滓処理装置。
【発明の詳細な説明】
【技術分野】
【０００１】
本発明は、アルミニウムやその合金等の非鉄金属の溶融炉で生じる浮滓に混入する非鉄金属溶融物を比重分離して回収するのに用いる浮滓処理装置に関する。
【背景技術】
【０００２】
一般的に、アルミニウムやその合金等の非鉄金属を鉱石から精錬して製出したり、非鉄金属の屑や非鉄金属を含む廃材から非鉄金属を取り出す場合、高温の炉中で非鉄金属を溶融させるが、その溶融物の表面部に非金属物質（主として酸化物）がドロス、ノロ、スラグ等と称される浮滓として生成する。しかして、この浮滓中には非鉄金属の溶融物が数％から数十％程度混入しているため、資源の有効利用と経済性の両面より、該浮滓から非鉄金属溶融物を回収することが重要になる。
【０００３】
そこで、従来においては、溶融炉から掻き出した浮滓を多孔底板の分離槽に投入して静置し、非鉄金属溶融物を浮滓との比重差で分離して底板の孔から落下させる静置分離方式（特許文献１）、同浮滓を多孔底板の圧搾室に収容し、圧搾して非鉄金属溶融物を絞り取る圧搾抽出方式（特許文献２〜４）、同浮滓を処理槽に収容し、上方に待機していた攪拌羽根を下降させて処理槽内に突入させ、該攪拌羽根の回転によって浮滓を攪拌し、分離沈降した非鉄金属溶融物を処理槽の底孔から流出させる攪拌分離方式（特許文献５）等により、浮滓から非鉄金属溶融物を回収することが行われている。
【０００４】
しかしながら、前記の静置分離方式では、概して浮滓が塊状に固まった状態にあるため、含まれる非鉄金属溶融物を充分に分離できず、回収率が悪いという欠点があった。また、前記の圧搾抽出方式では、装置構成が複雑で且つ大掛かりになり、設備コストが非常に高く付く上、少量ずつしか圧搾を行えず、処理効率に劣るという難点があった。  一方、前記従来の攪拌分離方式では、攪拌羽根による攪拌を行うことから、浮滓が破砕されて非鉄金属溶融物を比重分離し易くなるが、攪拌羽根の駆動部が高熱で劣化するのを抑えるため、攪拌操作時以外は攪拌羽根を上方に退避させる必要があり、処理槽の上方側に攪拌羽根の昇降機構を組み付ける上で、大型の処理装置には適用できても、小型の処理装置には構造的及びコスト的に適用困難であった。
【０００５】
すなわち、例えば容量が２〜３トン程度の小型溶融炉を対象とした場合、浮滓の生成が少ないために一回の処理量も少なくなり、それだけ浮滓自体の持つ総熱量が小さくて冷め易いから、溶融炉で生じた浮滓をバケット等に受けて処理槽まで運んで移すような時間的余裕がなく、溶融炉から掻き出した浮滓を直接に処理槽で受け、その場で直ちに処理を行うことになる。従って、小型溶融炉用として要求される浮滓処理槽は、溶融炉に接近させた状態で、その上端開口縁が溶融炉の掻き出し口よりも低位置、好ましくは作業デッキより低い位置にあり、且つ処理槽上方に付属物のない構造とする必要がある。
【０００６】
なお、小型溶融炉用の浮滓処理装置として、旧来より浮滓処理槽内に攪拌羽根を固定的に設置する構造が種々提案されているが、いずれも耐久性の面から実用化に至っていない。その原因は、例えばアルミニウム溶湯では約７５０℃もの高温であることに加え、テルミット反応で更に高温化する場合もあり、その高熱によって攪拌羽根の回転支持部がすぐに劣化してしまい、回転駆動軸に摺接するブシュが焼け付いたり、軸受のグリスが蒸発・燃焼したり、更には駆動部に溶湯が侵入するといった事態に陥ることによる。
【特許文献１】特開平７−３２５２５４７号公報
【特許文献２】特開平８−３０９１１０号公報
【特許文献３】特開平１０−１９５５５３号公報
【特許文献４】特開２０００−３０３１２３号公報
【特許文献５】特開平９−８７７６４号公報
【発明の開示】
【発明が解決しようとする課題】
【０００７】
本発明は、上述の情況に鑑み、浮滓処理槽内に攪拌羽根が固定的に設置され、しかも優れた耐熱性及び耐久性を備え、とりわけ処理量の少ない小型溶融炉用に適した非鉄金属溶湯の浮滓処理装置を提供することを目的としている。
【課題を解決するための手段】
【０００８】
上記目的を達成するために、本発明の請求項１に係る非鉄金属溶湯の浮滓処理装置は、図面の参照符号を付して示せば、非鉄金属の溶融炉Ｆで生じた浮滓Ｄを攪拌破砕し、該浮滓Ｄに混入している非鉄金属溶融物を浮滓破砕物から比重分離して回収するのに用いる浮滓処理装置Ｍであって、上方に開放して浮滓を収容する浮滓処理槽１と、該浮滓処理槽１内に配置する攪拌羽根２と、該攪拌羽根２の回転駆動手段３と、前記比重分離した非鉄金属溶融物を流出させるために前記浮滓処理槽１を傾かせる傾動手段４と、前記撹拌羽根２を内側に配置した浮滓処理槽１と前記回転駆動手段３とが固設された台座７とを備え、前記浮滓処理槽１の槽本体１０の底部（底壁部１０ｂ）中央位置に、直立する筒状部１１が一体形成されると共に、該筒状部１１の内側に、回転駆動軸５が断熱材６を介して当該筒状部１１とは非接触状態で同心状に配置し、前記筒状部１１の頂端１１ａより上方突出した前記回転駆動軸５の頂部５ａに、前記攪拌羽根２の取付基部２０が相対回転不能に連結されると共に、該取付基部２０の外周面の径方向両側に前記撹拌羽根２の縦角棒体２１ａ，２１ｂが上段部を連結して垂下され、前記縦角棒体２１ａ，２１ｂに、基端側を溶接固着して浮滓処理層１の半径方向に沿って斜め下向きに配置した複数本の角棒状羽根片２２が設けられ、縦角棒体２１ａ，２１ｂの下端部に溶接固着した三角羽根板２３が設けられ、前記縦角棒体２１ａ，２１ｂと前記筒状部１１の外周面との間には、第１間隙（間隙ｔ１）が設定されると共に、前記取付基部２０の下端面と前記筒状部１１の頂端１１ａとの間には、第２間隙（間隙ｔ２）が設定され、前記回転駆動手段３は前記回転駆動軸５をその下端側で回転駆動させるように構成され、前記台座７には、回転保持筒８が立設されると共に、該回転保持筒８の内側上下位置にブシュ５１ａ，５１ｂが設けられ、そして、当該回転保持筒８が、前記ブシュ５１ａ，５１ｂを介して回転自在に前記回転駆動軸５を抱持すると共に、前記槽本体１０の筒状部１１の内周と前記回転保持筒８の外周との間に前記断熱材６が介在されるように該筒状部１１内に突入配置され、前記傾動手段４は、前記台座７ごと前記浮滓処理槽１を傾けてなるものとしている。
【００１１】
請求項２の発明は、前記請求項１の浮滓処理装置において、前記攪拌羽根２を内側に配置した前記浮滓処理槽１と、前記回転駆動手段３とが台車９に搭載されてなる構成としている。
【００１２】
請求項３の発明は、前記請求項２の浮滓処理装置において、前記台車９に前記傾動手段４が搭載されてなる構成としている。
【００１３】
請求項４の発明は、前記請求項１〜３のいずれかの浮滓処理装置において、前記攪拌羽根２の取付基部２０が前記回転駆動軸５の頂部５ａに対して着脱可能である構成としている。
【発明の効果】
【００１４】
請求項１の発明によれば、浮滓処理槽１の槽本体１０の底部（底壁部１０ｂ）中央位置に一体形成された筒状部１１の内側に、回転駆動軸５が当該筒状部１１とは断熱材６を介して非接触状態で同心状に配置し、該筒状部１１の頂端１１ａより上方突出した回転駆動軸５の頂部５ａに、攪拌羽根２の取付基部２０が相対回転不能に連結され、回転駆動手段３が回転駆動軸５をその下端側で回転駆動させるようにしているから、浮滓処理槽１に収容した浮滓Ｄの高熱が回転駆動軸５に伝わりにくく、該回転駆動軸５に摺接するブシュ５１ａ，５１ｂや軸受（スラストベアリング３３）、回転駆動手段３の各部の高熱による劣化が防止され、もって浮滓処理装置Ｍ全体が優れた耐久性を発揮する。
【００１５】
そして、この浮滓処理装置では、攪拌羽根２が浮滓処理槽１内に配置し、該浮滓処理槽１の上方に付属物がないから、浮滓処理の対象とする溶融炉Ｆが例えば溶湯容量２〜３トン程度の小型のものであっても、該溶融炉Ｆの近傍に配置した際の浮滓処理槽１の開口縁部を溶融炉Ｆの掻き出し口Ｏよりも低く設定することにより、当該溶融炉Ｆの掻き出し口Ｏから掻き出した浮滓Ｄを直接に浮滓処理槽１内に投入して、直ちに攪拌羽根２を回転して浮滓Ｄを攪拌破砕でき、もって該浮滓Ｄに混入していた非鉄金属溶融物が冷えて固まらない内に該溶融物を能率よく迅速に比重分離できる。かくして、比重分離された非鉄金属溶融物は、傾動手段４にて浮滓処理槽１を傾けることにより、該処理槽１から所要の器に流し込み、冷却固化させてインゴットとする。
【００１６】
また本発明によれば、攪拌羽根２を内側に配置した浮滓処理槽１と回転駆動手段３とが台座７上に固設されており、処理後の比重分離した非鉄金属溶融物を取り出す際、傾動手段４によって該台座７ごと浮滓処理槽１を傾ければよいから、回転駆動手段３の原動部から攪拌羽根２に至る回転力伝達経路には浮滓処理槽１の傾動変位に対応した複雑な係脱機構を設ける必要がなく、それだけ装置構成が簡素化し、処理装置の製作コストが低減される。
【００１７】
さらに本発明によれば、前記回転駆動軸５が台座７に立設された回転軸保持筒８に回転自在に抱持されているから、該回転駆動軸５の回転時に芯振れを生じにくく、攪拌羽根２の安定した回転性が得られると共に、槽本体１０の筒状部１１の内周と回転軸保持筒８の外周との間に断熱材６が介在するから、高温の槽本体１０から回転軸保持筒８を介した回転駆動軸５及び台座７への伝熱が抑えられる。
【００１８】
請求項２の発明によれば、攪拌羽根２を内側に配置した浮滓処理槽１と回転駆動手段３とが、台車９に搭載されて移動可能であるから、例えば溶融炉Ｆ近傍の浮滓受取り位置と、処理後の非鉄金属溶融部ならびに浮滓Ｄの両取出し位置との間で、迅速に移動させて作業能率を高めることができる。
【００１９】
請求項３の発明によれば、前記台車９に傾動手段４が搭載されているから、該台車９によって浮滓処理装置全体を工場内で自在に移動させることができる。
【００２０】
請求項４の発明によれば，攪拌羽根２の取付基部２０が回転駆動軸５の頂部５ａに対して着脱可能であるから、攪拌羽根２の摩耗や損傷による交換と補修を容易に行える。
【発明を実施するための最良の形態】
【００２１】
以下に、本発明に係る非鉄金属溶湯の浮滓処理装置の一実施形態について、図面を参照して具体的に説明する。図１は浮滓処理装置Ｍの側面図、図２は同平面図、図３は同浮滓処理装置Ｍの台車を外した状態での縦断側面図、図４は溶融炉Ｆから浮滓処理装置Ｍへの浮滓投入状況を示す概略正面図である。
【００２２】
図１及び図２に示すように、この浮滓処理装置Ｍは、チャンネル材７ａ…にて枠組みされた台座７上に、上方に開放して内部に攪拌羽根２が配置した平面視略円形の浮滓処理槽１と、攪拌羽根２の回転駆動手段３の原動部である駆動モータ３０とが前後して固設されており、その全体が前後左右の車輪９０…を備えた台車９上に載置されてなる。
【００２３】
浮滓処理槽１は、図３に示すように、ＦＣ２０の如き鋳鉄製の槽本体１０の周壁部１０ａから底壁部１０ｂにわたる外面側と、外周カバー板１２ａ及び下面カバー板１２ｂとの間に、セラミックファイバーからなる断熱材６が装填されている。また、槽本体１０は、底壁部１０ｂの中央位置に直立した筒状部１１が一体形成されると共に、上縁には前方へ突出した樋状の排出口１３を有している。
【００２４】
槽本体１０の筒状部１１の内側は上下方向に透通しており、台座７に立設された回転軸保持筒８と、該保持筒８の内側に上下位置のブシュ５１ａ，５１ｂを介して回転自在に抱持された回転駆動軸５とが、当該筒状部１１の内側に同心状に配置している。しかして、槽本体１０の筒状部１１は頂端１１ａが浮滓処理槽１の上縁１ａよりも若干低位に位置するが、回転駆動軸５の上端部５ａは筒状部１１から浮滓処理槽１の上縁１ａを越える高さに突出し、この上端部５ａに攪拌羽根２の短円筒状の取付基部２０が外嵌すると共に、該取付基部２０が径方向に貫通する連結ピン１４によって回転駆動軸５に対して相対回転不能で且つ着脱自在に連結されている。また、回転軸保持筒８は槽本体１０の筒状部１１の頂端１１ａよりも低位にあり、この回転軸保持筒８と該筒状部１１の内周との間、ならびに該回転軸保持筒８から突出した回転駆動軸５の上部側と同筒状部１１の内周との間には、前記断熱材６が介在し、もって回転駆動軸５及び回転軸保持筒８は同筒状部１１に対して非接触状態に保たれている。なお、図３で示すＬは浮滓処理槽１内に収容する浮滓の最大レベルを示しており、筒状部１１の頂端１１ａは該大レベルよりも高位になる。
【００２５】
一方、回転駆動軸５の下端部５ｂは台座７の内側に突入し、この下端部５ｂに固着されたスプロケット３１ａと、駆動モータ３０の下方突出した駆動軸３０ａに固着されたスプロケット３１ｂとの間にチェーン３２が巻装されて回転駆動手段３を構成しており、駆動モーター３０の駆動によって回転駆動軸５と攪拌羽根２が一体に回転する。なお、図３における３３は、回転軸保持筒８の下端とスプロケット３１ａとの間に介在するスラストベアリングである。
【００２６】
攪拌羽根２は、ＳＳ−４００等の鋼材製であり、前記の短円筒状の取付基部２０と、その外周面の径方向両側に上段部を溶接固着して垂下する一対の縦角棒体２１ａ，２１ｂと、両縦角棒体２１ａ，２１ｂの各々に基端側を溶接固着して浮滓処理槽１の半径方向に沿って斜め下向きに配置した複数本の角棒状羽根片２２…と、両縦角棒体２１ａ，２１ｂの各下端部に溶接固着した三角羽根板２３と、両縦角棒体２１ａ，２１ｂを下部側で連結する補強リング２４とで構成されている。しかして、一方の縦角棒体２１ａ側では各角棒状羽根片２２が一側面部を上向きにして上下に一定間隔置きに配置するのに対し、他方の縦角棒体２１ｂ側では各角棒状羽根片２２が一側辺部を上向きにして且つ縦角棒体２１ａとは半ピッチずれて上下に一定間隔置きに配置している。また、両縦角棒体２１ａ，２１ｂと槽本体１０の筒状部１１の外周面との間には間隙ｔ１が設定されると共に、取付基部２０の下端面と該筒状部１１の頂端１１ａとの間にも間隙ｔ２が設定され、もって攪拌羽根２全体が槽本体１０に対して非接触状態に保持されるようになっている。
【００２７】
図１及び図２に示すように、台車９の前端部の左右両側には傾動支持枠９１，９１が立設される一方、浮滓処理槽１の前縁部にはブラケット１５ａ，１５ａを介して水平枢軸１５が固着されており、該水平枢軸１５の両端部が支持枠９１，９１の頂部に取り付けた軸受９２，９２を介して回転自在に枢支されている。また、台車９の後端部右側にはボールねじ方式の電動シリンダユニットからなる傾動手段４が枢軸９３を介して起伏回動自在に取り付けられ、該傾動手段４の電動シリンダ４０の伸縮ロッド４０ａと、浮滓処理槽１側の水平枢軸１５の右端に固着されたレバー１６の先端部とがピン１６ａを介して枢着連結されている。そして、該電動シリンダ４０の収縮状態では、浮滓処理槽１を搭載した台座７が図示実線の如く水平姿勢で台車９上に載っているが、該電動シリンダ４０の伸長作動により、レバー１６が上方回動し、これに伴って浮滓処理槽１が台座７ごと前方へ傾動し、該電動シリンダ４０の最伸長状態では図示仮想線の如く浮滓処理槽１が排出口１３を下向きにした倒立姿勢になるように設定されている。なお、台車９の後部左側には制御盤９４が、同後部右側には収納箱９５が搭載されている。更に台車９の前後部には開放側を下向きに配置したチャンネル材９ａ，９ａによってフォーク挿入部９６，９６が構成されており、これらフォーク挿入部９６，９６にフォークを挿入して処理装置Ｍ全体をフォークリフトで運搬できるようになっている。
【００２８】
上記構成の浮滓処理装置Ｍによってアルミニウムやその合金の如き非鉄金属溶湯の浮滓処理を行うには、例えば図４に示すように、アルミニウムやその合金の如き非鉄金属の溶融炉Ｆが設置された作業デッキＰ下側の床Ｇ上で、該溶融炉Ｆの掻き出し口Ｏの直下に浮滓処理槽１が臨むように当該処理装置Ｍを配置し、適当な掻き出し具を用いて炉内の浮滓Ｄを掻き出し口Ｏから掻き出して、シュートＳを介して浮滓処理槽１内に直接に投入し、回転駆動手段３の作動によって攪拌羽根２を回転して該浮滓Ｄを攪拌破砕する。なお、アルミニウム溶湯では、アルミニウムの比重が約２．７であるのに対し、浮滓Ｄの酸化物の比重は１．３７程度であるから、前記攪拌破砕によって比重分離が迅速に進むと共に、破砕によって塊状物中に取り込まれていた溶融物も遊離し易くなる。
【００２９】
かくして浮滓Ｄに混入していた非鉄金属溶融物を比重分離したのち、傾動手段４にて浮滓処理槽１を傾けることにより、該処理槽１の排出口から所要の器に流し込み、冷却固化させてインゴットとし、浮滓処理槽１内に残る浮滓Ｄも同様に当該処理槽１を傾けて所要の容器等に排出する。なお、残る浮滓Ｄの排出に際しては、その排出促進のために攪拌羽根２を回転させるのがよい。また、浮滓処理槽１は、投入された浮滓Ｄが低温の該処理槽１に触れて急激に温度低下するのを回避する上で、溶融炉Ｆから浮滓Ｄを投入する前に、３００〜４００℃程度に予熱しておくことが好ましい。
【００３０】
しかして、この浮滓処理装置Ｍでは、槽本体１０の底部から立ち上がる筒状部１１の内側に、回転駆動軸５が断熱材６を介して非接触状態で配置し、該筒状部１１の頂端１１ａより上方突出した回転駆動軸５の頂部５ａに攪拌羽根２の取付基部２０が連結されているから、浮滓処理槽１に収容した浮滓Ｄの高熱が回転駆動軸５に伝わりにくく、該回転駆動軸５に摺接するブシュ５１や回転駆動手段３の各部の高熱による劣化が防止され、もって装置Ｍ全体が優れた耐久性を発揮する。また、攪拌羽根２が浮滓処理槽１内に配置し、該処理槽１の上方に付属物がないから、浮滓処理の対象とする溶融炉Ｆが例えば溶湯容量２〜３トン程度の小型のものであっても、該溶融炉Ｆの近傍に配置した際の浮滓処理槽１の開口縁部（上縁１ａ）を溶融炉Ｆの掻き出し口Ｏよりも低く設定することにより、当該溶融炉Ｆの掻き出し口Ｏから掻き出した浮滓Ｄを直接に浮滓処理槽１内に投入でき、該浮滓Ｄに混入していた非鉄金属溶融物が冷えて固まらない内に該溶融物を比重分離して取り出すことが可能となる。
【００３１】
なお、本発明においては、傾動手段４として、浮滓処理槽１のみを傾動させる機構を採用してもよいが、前記実施形態のように当該処理槽１及び回転駆動手段３を固設した台座７ごと傾動させる構成とすれば、回転駆動手段３の原動部から攪拌羽根２に至る回転力伝達経路には浮滓処理槽１の傾動変位に対応した複雑な係脱機構を設ける必要がなく、それだけ装置構成が簡素化し、処理装置の製作コストが低減されるという利点がある。また、実施形態のように、回転駆動軸５が台座７に立設された回転軸保持筒８に回転自在に抱持される構成とすれば、該回転駆動軸５の回転時に芯振れを生じにくく、攪拌羽根２の安定した回転性が得られるから、より処理効率が向上することになる。そして、この回転軸保持筒８を設ける場合、実施形態の如く槽本体１０の筒状部１１の内周と回転軸保持筒８の外周との間に断熱材６を介在させることにより、高温の槽本体１０から回転軸保持筒８を介した回転駆動軸５及び台座７への伝熱が抑えられる。更に、実施形態のように攪拌羽根２の取付基部２０が回転駆動軸５の頂部５ａに対して着脱可能であれば、攪拌羽根２の摩耗や損傷による交換と補修を容易に行えるという利点がある。
【００３２】
一方、実施形態の構成では、攪拌羽根２を内側に配置した浮滓処理槽１と回転駆動手段３とが、台車９に搭載されて移動可能であるから、例えば溶融炉Ｆ近傍の浮滓受取り位置と、処理後の非鉄金属溶湯ならびに浮滓Ｄの両取出し位置との間で、迅速に移動させて作業能率を高めることができると共に、台車９に傾動手段４が搭載されているから、該台車９によって処理装置Ｍ全体を工場内で自在に移動させることができる。
【００３３】
前記実施形態の浮滓処理槽１では比重分離した非鉄金属溶融物と残る浮滓Ｄとを一つの排出口１３から排出するようにしているが，本発明の浮滓処理装置Ｍでは、該排出口１３を例えば径方向両側の２カ所に設け、一方向への傾動によって一方の排出口１３から非鉄金属溶融物を排出したのち、反対方向への傾動によって他方の排出口１３から残る浮滓Ｄを排出する構成としてもよい。また、本発明の浮滓処理装置Ｍでは、前記実施形態のように浮滓Ｄに含まれる非鉄金属溶融物が冷却固化しない内に迅速に処理を行えるが、予熱や降温防止のために加熱機構を設けた構成としてもよい。その他、本発明の浮滓処理装置Ｍにおいては、攪拌羽根２の形状、その取付基部２０と回転駆動軸５との連結構造、回転駆動手段３の回転伝達機構、傾動手段４の傾動機構、台座７及び台車９の形態等、細部構成については実施形態以外に種々設計変更可能である。
【図面の簡単な説明】
【００３４】
【図１】本発明の一実施形態に係る非鉄金属溶湯の浮滓処理装置の側面図である。
【図２】同浮滓処理装置の平面図である。
【図３】同浮滓処理装置の台車を外した状態での縦断側面図である。
【図４】同浮滓処理装置による溶融炉からの浮滓投入状況を示す概略正面図である。
【符号の説明】
【００３５】
１      浮滓処理槽
１ａ    上縁
１０    槽本体
１０ａ  底壁部（底部）
１１    筒状部
１１ａ  頂端
２      攪拌羽根
２０    取付基部
３      回転駆動手段
３３    スラストベアリング（軸受）
４      傾動手段
５      回転駆動軸
５ａ    頂部
５１ａ  ブシュ
５１ｂ  ブシュ
６      断熱材
７      台座
８      回転軸保持筒
Ｄ      浮滓
Ｆ      溶融炉
Ｍ      浮滓処理装置
【図１】
0005165469.tif 000002
【図２】
0005165469.tif 000003
【図３】
0005165469.tif 000004
【図４】
0005165469.tif 000005